(57)【特許請求の範囲】
【請求項１】
ガスタービン装置の環状燃焼室（１）のための燃料分配のための方法であって、前記環状燃焼室（１）は該環状燃焼室（１）内に配置された燃料供給用の環状導管（６）及び水供給用の環状導管（６）、均一に分配されていてそれぞれ燃料供給用のセクタ導管（７）を介して前記燃料供給用の環状導管（６）にかつ水供給用のセクタ導管（７）を介して前記水供給用の環状導管（６）に接続された複数の分配ブロック（４）、並びにそれぞれ燃料供給用のバーナ導管（５）及び水供給用のバーナ導管（５）を介して前記各分配ブロック（４）に接続された複数のバーナ（２）を有しており、
ａ）環状導管への燃料供給の開始、ｂ）バーナ導管若しくはバーナへの燃料の分配、ｃ）環状燃焼室の点火、ｄ）連続運転、及びｅ）個々のバーナ群への燃料供給の中断から成る過程を備える形式の方法において、
ｆ）環状導管（６）への燃料供給の開始後に、それぞれ、バイパス絞り（９）を内蔵した弁（８）を備えるセクタ導管（７）の閉鎖により環状導管を燃料により完全に満たし、ｇ）次いでバーナ導管（５）若しくはバーナ（２）を分散的に燃料により充填し、
ｈ）しかる後に環状燃焼室（１）の点火を実施し、ｉ）次いで行われるセクタ導管（７）の開放の後に連続運転を導入し、ｊ）個々のバーナ群の遮断のために、対応するセクタ導管（７）を閉鎖する際に、燃料オイルによる運転時にはまず燃料の供給を遮断し、次いでこれと時間的にずらして水の供給を遮断することを特徴とするガスタービン装置の環状燃焼室のための燃料分配のための方法。
【請求項２】
ガスタービン装置の環状燃焼室のための燃料分配のための装置であって、ガスの供給用の環状導管、燃料オイルの供給用の環状導管及び水の供給用の環状導管を備えている形式のものにおいて、環状燃焼室（１）内に、それぞれ複数のバーナ（２）を備えた複数の流れセクタ（３）が均一に配置されており、該各流れセクタ（３）の前記各バーナ（２）はそれぞれ、ガス供給用のバーナ導管（５）、燃料オイル供給用のバーナ導管（５）及び水供給用のバーナ導管（５）を介して、前記各流れセクタ（３）にそれぞれ備えられた１つの分配ブロック（４）に接続されており、該各分配ブロック（４）はそれぞれ、ガス供給用のセクタ導管（７）を介してガス供給用の環状導管（１０）に、燃料オイル供給用のセクタ導管（７）を介して燃料オイル供給用の環状導管（６）に、かつ水供給用のセクタ導管（７）を介して水供給用の環状導管（６）に接続されており、かつ、前記各セクタ導管（７）がそれぞれ、バイパス絞り（９）を内蔵した弁（８）を備えていることを特徴とするガスタービン装置の環状燃焼室のための燃料分配のための装置。
【請求項３】
複数の環状導管のうちのガス供給に役立つ１つの環状導管が、支持機能を有する主導管（１０）として形成されており、かつ、この主導管に分配ブロック（４）が配置されている請求項２記載の燃料分配のための装置。
【請求項４】
主導管（１０）が他の環状導管（６）のための支持部材（１１）を備えている請求項３記載の燃料分配のための装置。
【請求項５】
分配ブロック（４）への主導管（１０）の接続部がそれぞれの分配ブロック（４）の内部に配置されている請求項４記載の燃料分配のための装置。
【請求項６】
燃料オイルと水とによってのみ運転される簡単なバーナ（２）の使用時でも主導管（１０）が配置されている請求項５記載の燃料分配のための装置。
【発明の詳細な説明】
【０００１】
【産業上の利用分野】
本発明はガスタービン装置の環状燃焼室のための燃料分配のための方法と装置に関する。
【０００２】
【従来の技術】
環状燃焼室がガスにより又は燃料オイルと水により運転されるバーナを備えるか、若しくは両方の燃料により交互に作動可能ないわゆるデュワルバーナを備えたこの種のガスタービン装置は公知である。このガスタービン装置ではそれぞれの燃料が集中的に個々の燃料導管内に供給され、換言すれば、分配器を起点として環状導管に供給される。ガスタービン装置ひいては環状燃焼室の大きさの増大に伴い、環状燃焼室内の個々のバーナの配置における測地的な高低差に起因して不均一な燃料分配が生じるという問題が発生する。従って特に燃焼室の始動時に環状導管、バーナ導管及びバーナに始めは比較的わずかな燃料しか供給されない事態を招く不充分な燃料分配が生じる。燃料が環状燃焼室の下方領域内の若干のバーナにのみ流入することがしばしば生じる。これにより、環状点火がほぼ又は完全に阻止される。
【０００３】
例えば部分負荷運転のために環状燃焼室の個々のバーナ群が遮断されると、公知ガスタービン装置ではしばしば対応するバーナ内での燃料オイルの不所望な炭化を生じることがある。
【０００４】
すでに述べた欠点を伴う公知の燃料分配法は、環状導管への燃料供給開始、中央の分配器によるバーナ導管への燃料の分配、環状燃焼室の点火、連続運転並びに選択したバーナ導管への燃料供給の遮断という過程を有している。
【０００５】
【発明が解決しようとする課題】
本発明の課題とするところは、上述のすべての欠点を回避するために、ガスタービン装置の始動時の環状燃焼室の環状点火を可能にし若しくは改善すると共に、全バーナの一部のバーナの遮断時のバーナ内の燃料オイルの炭化を阻止するような、ガスタービン装置の環状燃焼室のための燃料分配のための方法及び装置を提供することにある。
【０００６】
【課題を解決するための手段】
前記課題を解決した本発明方法の要旨は、環状導管への燃料供給の開始後に、それぞれ、バイパス絞りを内蔵した弁を備えるセクタ導管の閉鎖により環状導管を燃料により完全に満たし、次いでバーナ導管若しくはバーナを分散的に燃料により充填し、しかる後に環状燃焼室の点火を実施し、次いで行われるセクタ導管の開放の後に連続運転を導入し、個々のバーナ群の遮断のために、対応するセクタ導管を閉鎖する際に、燃料オイルによる運転時には、まず燃料の供給を遮断し、次いでこれと時間的にずらして水の供給を遮断することにある。
【０００７】
本発明方法の実施のために環状燃焼室に、それぞれ複数のバーナを備えた同じ大きさの複数の流れセクタが配置されている。該各流れセクタの前記各バーナはそれぞれ、ガス供給用のバーナ導管、燃料オイル供給用のバーナ導管及び水供給用のバーナ導管を介して、前記各流れセクタにそれぞれ備えられた１つの分配ブロックに接続されており、該各分配ブロックはそれぞれ、ガス供給用のセクタ導管を介してガス供給用の環状導管に、燃料オイル供給用のセクタ導管を介して燃料オイル供給用の環状導管に、かつ水供給用のセクタ導管を介して水供給用の環状導管に接続されている。前記各セクタ導管はバイパス絞りを内蔵した弁を備えている。
【０００８】
【発明の効果】
本発明の利点とするところは特に、環状燃焼室内への燃料の均一な分配、ひいてはガスタービン装置の始動過程時の環状点火が可能となるか若しくは改善されることにある。このことのために、まずセクタ導管が弁により閉鎖され、これにより環状導管が燃料によって満たされる。環状燃焼室に複数の分配ブロックを規則的に配置したことにより、かつ燃料の分配圧力により、バーナ導管が弁に内蔵されたバイパス絞りを介して均一に充填される。これにより、環状燃焼室の上方領域内に配置されたバーナへの燃料供給も保証される。環状点火が行われた後、セクタ導管が再度開放され、これにより連続運転中のバーナへの燃料供給が保証される。
【０００９】
本発明の別の利点とするところは、遮断された個々のバーナ群のバーナ内での燃料の炭化が阻止される可能性があることにある。このことのために、遮断すべきバーナに接続されたセクタ導管が弁により閉鎖される。しかし、始めは燃料導管の閉鎖のみ行われ、次いで水導管が閉鎖される。このようにして、遮断されたバーナが水によりスプレーされ、これによって炭化が阻止される。
【００１０】
ガス供給のために役立つ環状導管が主導管として形成されると、この環状導管が寸法的に支持機能のために最適であるので特に効果的である。
【００１１】
主導管には分配ブロックだけでなく、他の環状導管のための支持部材も配置される。これにより、この主導管はその本来の役目の他に分配ブロック及び他の環状導管の支持体としての役目をも果す。
【００１２】
さらに、分配ブロックへの主導管の接続がそれぞれの分配ブロックの内部で行われると有利である。このようにすれば、それぞれ１つのセクタ導管が節約され、分配ブロック内へ燃料が直接供給される。
【００１３】
標準化並びにコスト節約の理由から、燃料オイルと水だけにより運転すべき環状燃焼室の使用時には、ガス供給に役立つ環状導管を主導管として配置するのが有利である。この場合、この環状導管は分配ブロック及び他の環状導管のための支持機能だけを果す。
【００１４】
【実施例】
本発明の理解にとつて重要な部分だけが示される。本装置の内、例えばそれぞれ若干の弁、環状導管、セクタ導管及びバーナ導管と分配ブロック内に存在する、分配ブロックへの主導管の接続部は示されない。
【００１５】
環状燃焼室１内に配置されたバーナ２は６つの流れセクタ３に均一に分割されている。各流れセクタ３は分配ブロック４を備えており、この分配ブロックはバーナ導管５を介してバーナ２に接続されており、かつこのバーナ２に燃料オイルと水、若しくはガスを供給する。分配ブロック４はセクタ導管７を介して環状導管６に接続されていて、これらから供給を受ける（図１）。
【００１６】
各セクタ導管７には、バイパス絞り９を備えた弁８が対応して配置されている（図３）。
【００１７】
ガスを案内する環状導管６の１つが主導管１０として形成されている。この主導管１０には分配ブロック４と他の環状導管のための支持部材１１とが配置されている（図２）。
【００１８】
ガスタービン装置の始動過程ではセクタ導管７が弁８により閉鎖される。これにより、環状導管６が均一に燃料により充填される。環状燃焼室での分配ブロック４の規則的な配置と、燃料の分配圧力とによりバーナ導管５は、弁８に内蔵されたバイパス絞り９を介して充填され、この結果、環状燃焼室１の上方領域内に配置されたバーナ２にも均一に燃料が供給される。環状点火が行われた後、セクタ導管７は弁８を介して再度開放され、これにより、連続運転中にバーナ２への燃料供給が保証される。
【００１９】
所定のバーナ群が個々に遮断されると、対応するセクタ導管７が弁８を介して閉鎖される。その場合、まず始めに燃料供給用のセクタ導管が閉鎖され、しかる後に水供給用のセクタ導管が閉鎖される。このようにして、遮断すべきバーナ２に水がスプレーされ、これによりこのバーナ２内の燃料オイルの炭化が阻止される。
【図面の簡単な説明】
図面には本発明の１実施例が６つの流れセクタとそれぞれ１２のデュワルバーナとを備えた環状燃焼室について示されている。
【図１】本発明に基づく流れセクタを備えた環状燃焼室の平面図である。
【図２】図１の環状燃焼室の部分拡大図である。
【図３】バイパス絞りを備えた弁の略示図である。
【符号の説明】
１  環状燃焼室、  ２  バーナ、  ３  流れセクタ、  ４  分配ブロック、  ５  バーナ導管、  ６  環状導管、  ７  セクタ導管、  ８  弁、  ９  バイパス絞り、  １０  主導管、  １１  支持部材
【図１】
0003808910.tif 000002
【図２】
0003808910.tif 000003
【図３】
0003808910.tif 000004